(57)【要約】  【課題】界面活性剤を使うことなく、均質かつ安定なエマルジョンを提供する。  【解決手段】循環バッチ方式の気液せん断型流体混合装置であって、気液せん断渦流ポンプの下流側からエア導入する。【選択図】図１
2019214012.tif 000002
【特許請求の範囲】
【請求項１】
入口（１４６）と出口（１１７）を備えた混合室（１１１）と、
一端と他端を有し、前記一端が前記入口（１４６）に接続された供給路（１９１）と、
一端と他端を有し、前記一端が前記出口（１１７）に接続された回収路（１９２）と、
吸入口（１６３）と吐出口（１６４）を有し、前記吸入口（１６３）に前記回収路（１９２）の他端が接続され、前記吐出口（１６４）に前記供給路（１９１）の他端が接続されたポンプ（１６１）とを備え、
前記ポンプ（１６１）の駆動に基づいて、前記混合室（１１１）に貯蔵されている２つの液体の混合液（１９０）を前記出口（１１７）から吸引し、前記回収路（１９２）、前記ポンプ（１６１）、及び前記供給路（１９１）を介して、前記入口（１４６）から前記混合室（１１１）に噴射する液体混合装置（１０）であって、
前記液体混合装置（１０）は、前記供給路（１９１）を流れる前記混合液（１９０）にファインバブルを供給するファインバブル供給部（１３０）を備えており、
前記混合室（１１１）の入口（１４６）から前記混合室（１１１）に噴射される前記混合液（１９０）の噴射領域（１９３）の外側に前記混合室（１１１）の出口（１１７）が配置されていることを特徴とする液体混合装置。
【請求項２】
前記ファインバブル供給部（１３０）は前記供給路（１９１）に設けられていることを特徴とする請求項１に記載の液体混合装置。
【請求項３】
前記供給路（１３０）の一端は、前記入口（１４６）に向かって流れる混合液（１９０）に、前記入口（１４６）の中心軸（１１２）を中心とする螺旋運動を与える螺旋流形成部（１４５）を備えていることを特徴とする請求項１又は２に記載の液体混合装置。
【請求項４】
前記供給路（１９１）は前記供給路（１９１）の他端から前記供給路（１９１）の一端に向かって０度以上の連続した上り勾配を有し、前記回収路（１９２）は前記回収路（１９２）の他端から前記回収路（１９２）の一端に向かって０度以上の連続した上り勾配を有することを特徴とする請求項１〜３のいずれかに記載の液体混合装置。
【請求項５】
前記ポンプ（１６１）は、
吸入口（１６３）と、吐出口（１６４）と、前記吸入口（１６３）と前記吐出口（１６４）を接続するポンプ流路（１６５）と備えたケーシング（１６２）と、
前記ポンプ流路（１６５）に配置され、前記吸入口（１６３）から前記吐出口（１６４）に向けて混合液を移送する駆動部（１６６）と、
前記ポンプ流路（１６５）の混合液を抽出する抽出口（１６８）を備えており、
前記抽出口（１６８）は前記ポンプ流路（１６５）の最下位置に設けられていることを特徴とする請求項４に記載の液体混合装置。
【請求項６】
少なくとも、入口と出口を備えた混合室と、吸入口と吐出口を有するポンプとを備え、前記出口と前記吸入口とが流体的に接続され、前記吐出口と前記入口とが流体的に接続され、前記ポンプの駆動に基づいて、前記混合室に貯蔵されている混合液体を前記出口から吸引し、前記ポンプを介して、前記吐出口から吐出し、前記吐出される混合液体にファインバブルを供給した後、ファインバブルが供給された混合液体を前記混合室に噴射し、前記混合室に噴射される混合液の噴射領域の外側に前記出口が配置されていることを特徴とする液体混合装置を用いてエマルジョンを調製する方法であって、
前記混合液体は、水性液体および前記水性液体と非相溶性の疎水性液体を含み、かつ、水性液体と疎水性液体との界面における界面張力を低下させる機能を有する界面活性剤ならびにエマルジョンに添加しても界面張力を低下させる作用を有しないもののうち、塩、水素結合性分子、およびアルコール類のいずれか一種類から選択される添加剤を含まない、エマルジョンの調製方法。
【請求項７】
請求項１〜５いずれかに記載の液体混合装置を用いる、請求項６に記載のエマルジョンの調製方法。
【発明の詳細な説明】
【技術分野】
【０００１】
本発明は、複数の液体（分散質および分散媒）の混合を行うための気液せん断方式の流体混合装置、および複数の液体からなるエマルジョンの調製方法に関する。本発明は、詳しくは、複数の液体の混合物の中にファインバブルを発生させて、前記複数の液体の間にせん断力を発生させることにより、安価にサブミクロンレベルまで微細化され、均質化されたエマルジョンを生成することができる構造簡易なポンプ循環式の流体混合装置および、そのような流体混合装置を用いて、界面活性剤を使用せずに、均質かつ安定性の高いエマルジョンを調製する方法に関する。
【背景技術】
【０００２】
エマルジョンは、バター、マヨネーズ、牛乳、アイスクリームなどの食品および飲料、医薬品や化粧品に使われるクリーム、アクリル絵具などのインクや塗料、接着剤、写真フィルムの感光層、アスファルト舗装のシール剤など、身近なものから工事用の材料まで種々多岐にわたる分野で活用されている。
【０００３】
水と油のように、本来混ざり合うことのない複数の液体の一方が微粒子となり他方の中に分散した状態を乳化といい、乳化した液体をエマルジョンという。このようなエマルジョンは大きく２つに分類される。身近なものを例にして説明すると、牛乳やマヨネーズなどのように水中に油滴が分散した状態のエマルジョンをO/W (Oil in Water）型エマルジョン、逆に、バターやマーガリンなどのように油中に水滴が分散した状態のエマルジョンをW/O (Water in Oil)型エマルジョンという。
【０００４】
本来混ざり合わない複数の液体に衝撃力、せん断力またはキャビテーション力などの物理的エネルギーを与えれば乳化するが、一般にエマルジョンは非常に不安定な状態にあり、放置すれば徐々に二層に分離してしまう。そこで、エマルジョンを安定化するために、乳化剤を添加する。乳化剤（例えば、界面活性剤）を入れることによって相反する水と油を均等に分散させることができるようになり、得られたエマルジョンが安定する。
【０００５】
従来、特定の機能を持った油性物質を水に乳化分散させる場合には、油性物質の性質に応じて所要のＨＬＢ (Hydrophilic-Lipophilic Balance)値を有する乳化剤を選定し、乳化分散を行っていた。乳化剤として用いられる界面活性剤の所要ＨＬＢ値は、Ｏ/Ｗ型エマルジョンを作る場合とＷ/Ｏ型エマルジョンを作る場合とのそれぞれに対しても使い分ける必要がある。それゆえ、適切な界面活性剤の組合せの決定には、非常に煩雑かつ多大な労力が必要である。ましてや、多種類の油性物質が混在している場合は、安定に乳化させることは殆ど不可能である。また、界面活性剤は、溶液本来の目的には必要がないものであり、溶液の機能を阻害する可能性もあり、化粧品に用いる場合、肌に対する刺激物にもなり得る。さらに、界面活性剤は、生分解性が低く、泡立ちの原因となるので、環境汚染などの深刻な問題となっている。
【０００６】
そこで、乳化剤を添加しない乳化（またはエマルジョン化）技術が開発されてきた。
例えば、特許文献１には、複数種類の流体を混合する流体混合器が開示され、この流体混合器は約１０μｍ以下の粒子径のエマルションを生成する能力を有することが確かめられた。
特許文献２には、気体の液体への均一な分散、溶解、可溶化、乳化、および液体の異種液体への均一な分散、溶解、可溶化、乳化を、大容量かつ短時間で行うことができる処理装置が開示され、乳白状態が半日程度保たれる軽油と水のエマルジョン燃料が得られることが確かめられた。
特許文献３には、界面活性剤による化学的な作用の助けを借りることなく、スタティックミキサーによって燃料油成分中に水の粒子を均一に分散させるエマルジョン燃料の製造技術が開示されている。
特許文献４には、乳化剤（界面活性剤）を使用することなく、分散安定性の優れたエマルションを提供する技術が開示され、超音波照射により調製したヘキサデカンと水からなる油中水滴型（W/O)エマルションに、界面不活性物質として、塩、水素結合性分子、アルコール類のいずれか一種類（例えば、塩化ナトリウム、塩化マグネシウム、尿素、ホルムアミド、エタノール、グリセリン）を添加することによって分散安定性を向上させる作用が確認されている。
【先行技術文献】
【特許文献】
【０００７】
【特許文献１】特開2014-004534号公報
【特許文献２】特許第5380545号明細書
【特許文献３】特開2009-203323号公報
【特許文献４】特開2016-165716号公報
【発明の概要】
【発明が解決しようとする課題】
【０００８】
特許文献１の技術は、スタティックミキサーのように混合流体の１回の通過により混合する手法であり、得られたエマルジョンは、均質性や微細性、高濃度の乳化において十分なレベルではない。
特許文献２の実施例５の結果を見ると、気体を入れない乳化の方が良い結果を示すことが分かる。すなわち、この技術では、大きな気泡がポンプ内に入り、ポンプ効率を低下させてしまう課題があり、気体を用いた乳化に効果が出せていない。
特許文献３の装置で製造されるエマルジョン燃料は分散時間が数十秒程度であり、長時間安定なエマルジョンを提供することは想定していない。
特許文献４の技術は、乳化剤（界面活性剤）を使用しないものの、エマルジョンの分散安定性を向上するために、塩、水素結合性分子、アルコール類のいずれか一種類を添加する必要がある。
【０００９】
したがって、本発明は、上記課題を解決すべく、循環バッチ方式の気液せん断型流体混合方式に着目し、界面活性剤などの添加物を使うことなく、安価で乳化分散させることが可能な流体混合装置および、均質かつ安定なエマルジョンを提供することを主たる課題とする。
【課題を解決するための手段】
【００１０】
本発明は、概略、液体を受容し混合する混合ユニットと、液体を混合し循環させるポンプユニットと、循環する液体を移送する液体移送ユニット、外部から気体を自給する気体吸入ユニットを有する。気液せん断方式の液体混合装置を提供する。
【００１１】
混合ユニットの下部には、循環する液体を混合ユニット内部に戻す流路が形成され、流路の途中に気体吸入ユニット経由で気体を導入して気泡を発生させるバブル供給部が設けられている。
【００１２】
バブル供給部内で発生する気泡は、国際標準化機構 (ISO)のファインバブル技術委員会 (TC281)の定義により、直径にしたがって、ミリバブル（1 mm以上）、サブミリバブル（1 mm未満かつ0.1 mm以上）、マイクロバブル（0.1 mm (100 μm)未満かつ1 μm以上）およびウルトラファインバブル（1 μm未満）に分類される。直径100 μm以上のバブルは目視できる。また、直径100 μm未満のマイクロバブルおよびウルトラファインバブルを包括的にファインバブルというが、マイクロバブルは水が白く濁ることでその存在を目視確認でき、ウルトラファインバブルは目視確認することができない。ウルトラファインバブルの最頻径は、様々な計測方法（動的散乱法、レーザー回折法、粒子トラッキング解析法、電気的検知帯法）によって、直径100 nm〜200 nmであることが確認されている。
水中で、ミリバブルおよびサブミリバブルは上昇し（約5-6 m/分）、水面で破裂して消滅する。マイクロバブルは、ゆっくりと上昇しながら（約3 mm/分）、収縮し水中で消滅するが、ウルトラファインバブルは、浮力よりも液体から受ける粘性抵抗のほうが大きいので、液体中でブラウン運動をしながら、長期間（数日から数週間）停滞する。
【００１３】
流体中に気体が存在すると、ポンプの吸い込み不能やひいてはポンプ故障の原因となる。したがって、混合ユニットの混合室内に存在する気泡を除去することが要求される。
混合室内の液体中では回転流が発生しているため、遠心力により液体が外周に偏在する一方、気体は回転流の中心に集まってくる。また、直径の大きなバブルほど速く上昇する。したがって、混合室の外周壁の下部に流体の排出口を取り付けることにより、大方のバブルが除去された流体を取り出すことができる。
本発明においては、対象とする分散媒および分散質の粘性や種類に応じて、混合室の内径、排出口の取付け箇所から流体の上面までの高さ、回転流の周方向速度および軸方向速度、ポンプによる吸入流量を制御することによって、直径100 μm以上のミリバブルおよびサブミリバブルを除去し、好ましくは、直径100 μm以上のミリバブルおよびサブミリバブルならびに直径1 μm以上のマイクロバブルを除去し、望ましくは直径1 μm未満のウルトラファインバブルのみが残留する状態にする。流体内に、マイクロバブルおよびウルトラファインバブルが残留していても、ポンプ効率に影響しないからである。
【００１４】
本発明によれば、限定されないが、上記の構成の流体混合装置を用いることによって、界面活性剤などの乳化剤を使用せずに、水性液体および前記水性液体と非相溶性の疎水性液体からなるサブミクロンレベル（平均直径が数μｍ）の安定なO/W (Oil in Water）型エマルジョンまたはW/O (Water in Oil)型エマルジョンを得ることができる。本発明により得られるエマルジョンは、３日以上、好ましくは７日以上、より好ましくは２週間以上、さらに好ましくは１月以上分離することなく安定に存在する。エマルジョンの安定性は、密封したビンにエマルジョンを封入し、室温にて静置して、白濁相と透明相との分離および水性液体と疎水性液体との完全相分離の発生を目視で観察することにより判断する。
【００１５】
本発明において、エマルジョンを構成する水性液体は、水；および、水に相溶する有機溶媒と水との混合物よりなる群から選択されるが、人体や環境に対する負荷を考慮すると、水が好ましい。本発明において、エマルジョンを構成する疎水性液体は、防虫または殺虫効果を有する天然油性物質として、例えば、限定されないが、例えば、オールスパイス油、カユプテ油、桂皮油、シダー油、シトロネラ油、ゼラニウム油、ダイズ油、タイム油、丁子油、にんにく油、バジル油、ハッカ油、バーベナ油、ヒマシ油、ペパーミント油、松脂、ラベンダー油、レモングラス油、レモンユーカリ油、ローズマリー油などを挙げることができる。その他の天然油性物質として、亜麻仁油、オリーブ油、キリ油、ゴマ油、米ぬか油、コーン油、ナタネ油、パーム油、パーム核油、ピーナッツ油、ひまわり油、ヘーゼルナッツ油、紅花油、綿実油、ヤシ油などを挙げることができる。
【００１６】
本発明のエマルジョンには、上記防虫または殺虫効果を有する天然油性物質その他の天然油性物質と組み合わせて、天然物由来の防虫または殺虫効果を有する物質を使用することができ、限定されないが、例えば、カ、ゴキブリ、ダニ、ハエなどに対して防虫または殺虫効果を有する、除虫菊の胚珠から抽出されるピレスロイド；アブラムシ、コナジラミ、ヨコバイおよびアザミウマなどの吸汁口または穿孔口を持った昆虫に対して防虫または殺虫効果を有する、タバコ抽出物であるニコチン；昆虫に対して接触毒および消化中毒剤として作用する、ユリ科の植物サバジラから抽出されるサバジラ酸（チグリン酸）；ダニなどの殺虫剤、殺魚剤、農薬として広く効果を有する、ロンコカルプス属やデリス属の植物（例えば、ドクフジ）から抽出されるロテノン；および、昆虫の幼虫の脱皮や羽化を妨げ、食欲減退させる、ニーム（学名アザディラクタ・インデカ（azadirachta indica））から抽出されるニーム油などを挙げることができる。
【００１７】
本発明により調製されるエマルジョンには、エマルジョンの安定性に悪影響を与えない限り、種々の添加剤を添加することができる。本発明において用いることができる添加剤は、ナトリウム、マグネシウム、リン、塩素、カリウム、カルシウム、クロム、マンガン、鉄、コバルト、銅、亜鉛、セレン、モリブデン、ヨウ素などからなる群から選択される１または複数の必須ミネラル；活性炭、シリカゲル、ゼオライト、二酸化ケイ素（メソポーラスシリカ）、酸化アルミニウムなどからなる群から選択される１または複数の多孔質材料、などを含む。
【００１８】
しかしながら、本発明には、いわゆる水性液体（例えば、水）と疎水性液体（例えば、油）との界面における界面張力を低下させる機能を有する界面活性剤ならびにエマルジョンに添加しても界面張力を低下させる作用を有しないもののうち、塩、水素結合性分子、アルコール類のいずれか一種類（例えば、塩化ナトリウム、塩化マグネシウム、尿素、ホルムアミド、エタノール、グリセリンからなる群から選択される。）から選択される添加剤は使用しない。
【００１９】
本発明において、気液せん断のために導入する気体として、空気、酸素、オゾン、窒素、アルゴン、水素などが挙げられ、用いる防虫または殺虫効果を有する物質の有効性に鑑み、適宜選択することができるが、簡便性の観点から、空気が好ましい。
【００２０】
本明細書において用いられる用語の定義を以下に示す。
「流体」は、静止状態においてせん断応力が発生しない連続体の総称である。概略、固体でない連続体のことであり、物質の形態としては液体と気体およびプラズマが流体に該当する。
「エマルジョン」または「エマルション」は、分散質および分散媒が共に液体である分散系溶液のことである。乳濁液あるいは乳剤ともいう。分離している2つの液体をエマルジョンにすることを乳化といい、乳化する作用をもつ物質を乳化剤という。本発明においてはエマルジョンと呼称する。
「マイクロエマルジョン」は、エマルジョンに類似した2種の液体からなる一種の分散系であるが、直径が100 nm程度以下と小さく、ミセルにより構成され、熱力学的に安定で、また強い撹拌を要せず容易に形成されるものをいう。ミセルが小さいので可視光の散乱が少なく、透明または半透明に見えるのが特徴である。
「分散系」は、サイズが1 nmから1000 nm（1μｍ）程度の粒子が、気体、液体あるいは固体に浮遊あるいは懸濁している物質である。このように浮遊あるいは懸濁する現象を分散と呼ぶ。
「分散質と分散媒」は、分散系で浮遊懸濁している固体または液体粒子を分散質あるいは分散相であり、媒質の方を分散媒という。
【発明の効果】
【００２１】
本発明によれば、循環型の構造簡易な気液せん断方式の流体混合装置を用いて、水性液体（分散媒または分散質）および前記水性液体と非相溶性の疎水性液体（分散質または分散媒）からなる液体の混合物を短時間循環させるだけで、安価にサブミクロンレベルの安定なエマルジョンを得ることができる。
【図面の簡単な説明】
【００２２】
【図１】図１は、本発明の実施形態に係る液体混合装置の概略構成を示す断面図である。
【図２】図１に示す液体混合装置に組み込まれたベンチュリブロックの断面図である。
【図３】図３（Ａ）〜図３（Ｃ）を含み、図３（Ａ）は図１の液体混合装置に組み込まれているノズルブロックの断面図、図３（Ｂ）と図３（Ｃ）は他の形態のノズルブロックの断面図である。
【図４】エア導入量とポンプ吐出量との関係を示すグラフ。
【図５】1.0体積％オレイン酸/水のエマルジョンのマイクロスコープ像：エア導入なし  乳化２日後（Ａ１）、１ヵ月後（Ａ２）；エア導入あり  乳化２日後（Ｂ１）、１ヵ月後（Ｂ２）。
【図６】エマルジョンの安定性試験の結果を示す図：エア導入なし  乳化直後（Ａ１）、３日後（Ａ２）、２ヵ月後（Ａ３）；エア導入あり  乳化直後（Ｂ１）、３日後（Ｂ２）、２ヵ月後（Ｂ３）。
【発明を実施するための形態】
【００２３】
１．気液せん断方式の液体混合装置
以下、添付図面を参照して本発明に係る液体混合装置の実施形態を説明する。
[概略構成]
図１は、実施形態の液体混合装置１０を示す。液体混合装置１０は、概略、混合ユニット１００と、ポンプユニット１６０と、液体移送ユニット１７０、気体吸入ユニット１８０を有する。
【００２４】
[混合ユニット]
混合ユニット１００は、以下に説明する複数のブロック（容器ブロック１１０、ベースブロック１２０、ベンチュリブロック１３１、流路ブロック１５０等）を組み合わせて構成される。
【００２５】
容器ブロック１１０は、後述するように２つの液体を混合するための混合室１１１を形成している。そのために、実施形態の容器ブロック１１０は、中空円筒体からなり、該中空円筒体の中心軸１１２を鉛直方向に向けて配置されている。
【００２６】
容器ブロック１１０の上部は蓋１１３で覆われている。蓋１１３は、圧力調整弁１１４を備えている。容器ブロック１１０の底部には、中心軸１１２に沿って容器底部を上下方向に貫通する円形穴１１５が形成されている。容器ブロック１１０の底面は、円形穴１１５の上端外周縁から径方向外側に向かって次第に高くなる逆円錐台形の傾斜底面１１６によって構成されている。
【００２７】
容器ブロック１１０はベースブロック１２０に支持されている。ベースブロック１２０は、容器底部の円形穴１１５の直下にこれに隣接して、円形穴１１５と実質的に同じ横断面を有する所定深さの円形穴１２１が形成されており、この円形穴１２１は容器ブロック１１０の円形穴１１５と共に一つの大きな縦穴１２２を形成している。ベースブロック１２０はまた、円形穴１２１の底面からベースブロック下面に伸びる流路１２３と、円形穴１２１の略中段から径方向外側に向かって略水平に伸びる気体供給孔１２４を備えている。
【００２８】
縦穴１２２には、図２に示すファインバブル供給部１３０が着脱自在に配置される。実施形態において、ファインバブル供給部１３０は、ベンチュリブロック１３１を備えている。ベンチュリブロック１３１は、単一の材料からなる縦型円筒体で構成されている。ベンチュリブロック１３１の外観形状（特に、円筒外周面と円形底面）は縦穴１２２の形状に実質的に一致している。
【００２９】
ベンチュリブロック１３１は、ベンチュリブロック１３１の中心軸に沿って該ベンチュリブロック１３１を上下方向に貫通する孔によって形成される流路１３２を備えている。ベースブロック１２０にベンチュリブロック１３１を装着した状態で該ベンチュリブロック１３１の中心軸は容器ブロック１１０の中心軸１１２に一致する。流路１３２は、下段流路部分１３３と、中段流路部分１３４と、上段流路部分１３５を備えている。実施形態では、下段流路部分１３３は下部円筒部分と上部円錐台部分を有する。上段流路部分１３５は、上部円筒部分と下部逆円錐台部分を有する。下段流路円錐台部分の上端と上段流路逆円錐台部分の下端は略同一の円形断面を有し、それらの間が中段流路部分１３４によって接続されている。
【００３０】
ベンチュリブロック１３１の中段には、中段流路部分１３４から径方向外側に向かって伸びる一つ又は複数の吸気孔１３６が形成されている。これらの吸気孔１３６は、ベンチュリブロック１３１の外周に形成された環状溝からなるマニホールド１３７に接続されている。マニホールド１３７は、図示するようにベースブロック１２０にベンチュリブロック１３１を組み付けた状態で、ベースブロック１２０の気体供給孔１２４に接続される位置に設けてある。
【００３１】
ベンチュリブロック１３１の上にはノズルブロック１４０が配置されている。図３（Ａ）に示すように、ノズルブロック１４０は、上下方向の中心軸に沿って該ノズルブロック１４０を上下方向に貫通する孔によって形成される流路１４１を備えている。ノズルブロック１４０はベンチュリブロック１３１に対して着脱自在に固定できる。そのために、例えば、ノズルブロック１４０をボルトによってベンチュリブロック１３１に固定するか、または、ベンチュリブロック１３１とノズルブロック１４０のいずれか一方に雌ねじ部を形成すると共に残る他方に雄ねじを形成し、これら雌ねじと雄ねじをかみ合わせることによって、ノズルブロック１４０はベンチュリブロック１３１に対して着脱自在とすることが好ましい。
【００３２】
ノズルブロック１４０の流路１４１は、下段流路部分１４２と、中段流路部分１４３と、上段流路部分１４４を備えている。実施形態では、下段流路部分１４２は下部円錐台部分を有し、円錐内面に沿って上下方向に伸びる螺旋状の溝（螺旋流形成部）１４５を備えている。上段流路部分１４４は上部逆円錐台部分を有する。下段流路円錐台部分の上端と上段流路逆円錐台部分の下端は略同一の円形断面を有し、それらの間が中段流路部分１４３によって接続されている。したがって、ベンチュリブロック１３１にノズルブロックを組み付けた状態で、下段流路部分１４２の下端開口がベンチュリブロック１３１の上段流路部分１３５の上端開口に接続される。
【００３３】
図１に戻り、実施形態では、ベースブロック１２０の下に流路ブロック１５０が着脱自在に取り付けられている。流路ブロック１５０は流路１５１を備えている。流路１５１は、流路ブロック１５０がベースブロック１２０に組み合わされた状態で、ベースブロック１２０の流路１２３と共に一つの液体供給流路１５２を形成している。
【００３４】
図示するように、流路ブロック１５０の流路１５１は、中心軸１１２に沿って流路ブロック上面から該流路ブロック１５０内を下方に伸びる垂直流路部分１５３と、該垂直流路部分１５３の下端から流路ブロック内を該流路ブロック側面まで伸びる水平流路部分１５４によって構成されている。
【００３５】
容器ブロック１１０とベースブロック１２０には、容器ブロック１１０の傾斜底面１１６からベースブロック１２０の外周側面に向かって伸びる液体回収流路１５５が形成されている。液体回収流路１５５は、容器傾斜底面１１６から容器底面に向かって容器底部内を貫通する上段垂直流路部分１５６と、ベースブロック上面から該ベースブロック内を下方に伸びる下段垂直流路部分１５７と、該下段垂直流路部分１５７の下端からベースブロック内を該ベースブロック側面まで伸びる水平流路部分１５８によって構成されている。
【００３６】
図面が複雑になるのを防止するために、図１には一つの液体回収流路１５５のみを示すが、複数の液体回収流路１５５を中心軸の周りに均等に設けてもよい。
【００３７】
上述した複数のブロックはそれぞれ、適当な連結手段によって隣接するブロックと分離可能に連結される。また、上述した複数のブロックはそれぞれ、隣接するブロックとの間に適当なシールが形成されている。例えば、容器ブロック１１０のベースブロック接触面又はベースブロック１２０の容器接触面には、縦穴１２２と液体回収流路１５５を囲む環状溝（図示せず）が形成され、そこにＯリング等のシール部材が配置される。同様に、ベースブロック１２０の流路ブロック接触面又は流路ブロック１５０のベースブロック接触面には、液体供給流路１５２を囲む管状溝が形成され、そこにＯリング等のシール部材が配置される。したがって、隣接するブロックの境界から液体が漏れることはない。
【００３８】
[ポンプユニット]
ポンプユニット１６０はポンプ１６１を有する。ポンプ１６１は、非容積式ポンプ、容積式ポンプ、特殊型ポンプのいずれであってもよい。非容積式ポンプはまた、遠心ポンプ（渦巻きポンプ、ディフューザポンプ）、斜流ポンプ（渦巻きポンプ、ディフューザポンプ）、軸流ポンプのいずれであってもよい。
【００３９】
ポンプ１６１はポンプケーシング１６２を有する。ポンプケーシング１６２は、吸入口１６３と、吐出口１６４と、これら吸入口１６３と吐出口１６４を接続するポンプ流路１６５を備えている。ポンプ流路１６５は、吸入口１６３から液体を吸引するとともに吐出口１６４から液体を排出する駆動部１６６を備えている。例えば、渦巻きポンプの場合、駆動部は羽根車（インペラ）で、この羽根車はポンプケーシングの外部に設けられたモータ１６７に駆動連結されている。
【００４０】
実施形態において、ポンプ流路１６５の最下位置に、液体抽出口１６８が設けてある。
【００４１】
[液体移送ユニット]
液体移送ユニット１７０は、液体供給管１７１と液体回収管１７２を有する。液体供給管１７１は、液体供給流路１５２とポンプ吐出口１６４を接続している。液体回収管１７２は、液体回収流路１５５とポンプ吸入口１６３を接続している。実施形態において、液体供給管１７１は、ポンプ吐出口１６４から液体供給流路１５２まで連続した０度以上の上り勾配を有する。また、液体回収管１７２は、ポンプ吸入口１６３から液体回収流路１５５まで連続した０度以上の上り勾配を有する。
【００４２】
[気体吸入ユニット]
気体吸入ユニット１８０は気体吸入管１８１を有する。気体吸入管１８１は、一端がベンチュリブロック１３１の気体供給孔１２４に接続されており、他端の気体吸込口１８２が大気に開放され、または、適当な気体ボンベ（図示せず）に接続されている。気体吸入管１８１は、他端（気体吸入口１８２）から一端に向かって順番に、流量調整弁１８３、流量センサ１８４、逆止弁１８５を備えている。
【００４３】
[動作]
以上の構成を備えた液体混合装置１０を使い、水性液体（分散媒）中に疎水性液体（分散質）を分散してエマルジョンを得る乳化処理について説明する。
【００４４】
乳化処理では、水性液体と疎水性液体を所定の割合で混合した混合液１９０を混合室１１１に収容し、ポンプ１６１を駆動する。これにより、混合室１１１内の混合液１９０は、容器ブロック１１０の傾斜底面１１６に形成された排出口（出口）１１７（すなわち、容器底部内を貫通する上段垂直流路部分１５６の上端開口）から、液体回収流路１５５及び液体回収管１７２を通り、ポンプ吸入口１６３に到達するまでの液体回収路１９２を経て、ポンプ流路１６５に吸い込まれる。
【００４５】
ポンプ１６１の内部に吸引された混合液１９０は、ポンプ流路１６５を通り、吐出口１６４から吐出される。
【００４６】
ポンプ吐出口１６４から吐出した混合液は、ポンプ吐出口１６４から、液体供給管１７１と液体供給流路１５２を通り、ベンチュリブロック１３１の流路１３２に送られる。ベンチュリブロック１３１に達した混合液１９０は、大きな断面の下段流路部分１３３から小さな断面の中段流路部分１３４を通り大きな断面の上段流路部分１３５に入る。このとき、中段流路部分１３４を通る混合液の流速が増加することによって、該中段流路部分１３４に開口した吸気孔１３６に負圧が発生する。その結果、気体供給管１８１を通じて吸引された気体が吸気孔１３６から中段流路部分１３４を流れる混合液１９０に混合される。
【００４７】
気体供給管１８１から吸引される気体の量は、流量センサ１８４の出力を見ながら、流量調整１８３で調整できる
【００４８】
混合液１９０に混合された気体は、上段流路部分１３５に入ると渦を発生し、強い剪断場を形成する。その結果、吸引された気体が微細化され、マイクロバブル又はウルトラファインバブル（両者を含めて「ファインバブル」という。）を大量に含む混合液が生成される。同時に、ファインバブルの存在下で混合液は強い剪断作用を受け、疎水性液体が水性液体中に分散する。
【００４９】
大量のファインバブルを含む混合液は、ベンチュリブロック１３１からノズルブロック１４０の流路１４１に送られると、ノズルブロック１４０の内周面に形成された螺旋溝１４５に沿って上昇する液体の影響を受けて螺旋上昇流（すなわち、剪断場）を形成し、ノズルブロック１４０の上端噴射口１４６（入口）（図３参照）から混合室１１１に噴射される。このように、ポンプ１６１の吐出口１６４からノズルブロック１４０の上端噴射口１４６までの液体供給路１９１を移送された混合液とファインバルブは、該上端噴射口１４６から噴射されて混合室１１１内に螺旋噴射流を形成する。したがって、混合室１１１に噴射された混合液は、ファインバブルの存在下で再び剪断作用を受ける。その結果、疎水性液体が水性液体中に均一に更に分散される。
【００５０】
ノズルブロック１４０から混合室１１１に噴射された混合液１９０は、ノズルブロック１４０の上端噴射口１４６から上方に向かって紡錘状に広がる噴射領域１９３を上昇する。このとき、比較的大きなバブルは、浮力の影響を受けて混合室１１１を上方に移動して水面に達する。一方、混合液に含まれるファインバブルは、混合室１１１内に形成される混合液の下降流（旋回流）に乗って下降し、容器底部の傾斜底面１１６に形成された排出口１１７から液体回収流路１５５に取り出される。
【００５１】
その後、液体回収流路１５５から液体回収管１７２を通り、吸入口１６３からポンプ１６１内の流路１６５に送られた混合液１９０は、ポンプ１６１内で回転する羽根車１６６等によって再び強い剪断作用を受け、疎水性液体が更に水性液体中に分散する。
【００５２】
このように、上述した実施形態の液体混合装置によれば、ファインバブルの存在下で、疎水性液体が水性液体中に均一に分散される。特に、上述した実施形態では、混合室１１１から混合液を吸い出す排出口１１７が噴射領域１９３の外側に配置されているため、噴射口１４６から混合室１１１に噴射された混合液１９０に含まれる大きなバブルが排出口１１７を通じてポンプ１６１に送られることがない。そのため、ポンプ１６１内に強い剪断場が形成され、疎水液体の分散が格段に良くなる。
【００５３】
以上のようにして水性液体中に疎水性液体が均一に分散された混合液は、ポンプ１６１の液体抽出口１６８から抽出される。このとき、図１に示すように、液体抽出口１６８は、液体混合装置１０の最下位置に設けてあるので、液体抽出口１６８を開くと、液体混合装置１０の各部に存在する混合液がすべて液体抽出口１６８に集まる。したがって、その後の分解洗浄が容易に行える。
【００５４】
なお、乳化した混合液に不純物が含まれないように、少なくとも液体混合装置において混合液と接触する部分はステンレス材料で構成することが好ましい。
【００５５】
上述した液体混合装置は、種々改変可能である。
【００５６】
例えば、上述の実施形態では、ノズルブロック１４０に円錐台形状の流路を形成するとともにその流路内面に螺旋溝を形成することによって混合液の螺旋流を形成したが、他の構造によって螺旋流を形成することができる。例えば、図３（Ｂ）に示すノズルブロック２４１は、所定のピッチ円錐角と歯数を有する内歯形のはすば傘歯車（ヘリカルベベルギヤ）２４１又はまがりば傘歯車（スパイラルベベルギヤ）と、これらの傘歯車と同じ歯数とピッチ円錐角を有する外歯形のはすば傘歯車（ヘリカルベベルギヤ）２４２又はまがりば傘歯車（スパイラルベベルギヤ）をかみ合わせて構成されており、これら２つの歯車の歯の隙間から混合液を噴射させて螺旋流を形成するものである。また、図３（Ｃ）は、ノズルブロックを螺旋ノズル３４０で構成した例である。
【００５７】
上述した実施形態では、ファインバブルを生成するためにベンチュリ方式を採用したが、その他の方式、例えば、加圧溶解法、キャビテーション法、エジェクタ方式、旋回流方式、スタティックミキサー方式のいずれを採用してもよい。
【００５８】
上述の実施形態では、混合室の底部から上方に向けて混合液を噴射したが、混合室の側壁に噴射口を配置し、この噴射口から混合室に対して水平方向又は斜め上方に向けて混合液を噴射してもよい。
【００５９】
２．本発明に係る液体混合装置における気体導入の影響
本発明者は、サイズが幅320 mm×奥行250 mm×高さ250 mmのサイズおよび約１５ｋｇの重量を有する卓上型の気液せん断方式の流体混合装置を作製した。その内部構造は、図１に示す液体混合装置１０と同等であるが、気体の導入方式を調べるために、気体供給ユニット１８０と同様の気体供給ユニットを、ポンプ吸入口１６３の直前、かつ、液体回収管１７２上に取り付けた（図示せず）。
【００６０】
上記した流体混合装置において、気体導入の場所によるポンプ性能への影響を調べた。実施例および比較例では、導入する気体として空気を用いるため「エア導入」という。流量を測定するための流量計をポンプ吐出口１６４と流体供給管１９２との間に設置し、混合室１１１に十分量の水を投入し、ポンプモーター4,000 rpmで水を循環させた。本発明の液体混合装置の使用において、「十分量」とは、ノズルブロックから混合室に噴射された混合液がノズルブロックの上端噴射口から上方に向かって紡錘状に広がる噴射領域を形成できる量をいう。投入する液体の量に応じて、混合室内部の断面積を変更することによって、容器ブロックの傾斜底面に形成された排出口の上端から水面までの距離が50 mm以上、好ましくは100 mm以上となるようにする。
【００６１】
比較例１：ポンプの上流からのエア導入
比較のため、ポンプ吸入口１６３の直前に取り付けたファインバブル供給部（ベンチュリー管Ａ）にてポンプ上流からエア導入した時のポンプ吐出量の変動を調べた結果を表１に示し、エア導入量の関数でポンプ吐出量低下率をプロットしたグラフを図４に示す。
【００６２】
【表１】
2019214012.tif 000003
【００６３】
実施例１：ポンプの下流からのエア導入
本発明に従い、ファインバブル供給部１３０（ベンチュリー管Ｂ）にてポンプ下流からエア導入した時のポンプ吐出量の変動を調べた結果を表２に示し、エア導入量の関数でポンプ吐出量低下率をプロットしたグラフを図４に示す。
【００６４】
【表２】
2019214012.tif 000004
【００６５】
表１および２ならびに図４のグラフから分かるように、本発明に従い、ポンプ下流からエア導入すれば、ポンプ吐出量を低下させるような悪影響を及ぼす現象は発生しないことが確認できた。
【００６６】
３．本発明に係る液体混合装置を用いたエマルジョンの調製
本発明に係るエマルジョンの調製方法は、少なくとも、入口と出口を備えた混合室と、吸入口と吐出口を有するポンプとを備え、前記出口と前記吸入口とが流体的に接続され、前記吐出口と前記入口とが流体的に接続され、前記ポンプの駆動に基づいて、前記混合室に貯蔵されている混合液体を前記出口から吸引し、前記ポンプを介して、前記吐出口から吐出し、前記吐出される混合液体にファインバブルを供給した後、ファインバブルが供給された混合液体を前記混合室に噴射し、前記混合室に噴射される混合液の噴射領域の外側に前記出口が配置されていることを特徴とする液体混合装置を用いてエマルジョンを調製する方法であって、
前記混合液体は、水性液体および前記水性液体と非相溶性の疎水性液体を含み、かつ、水性液体と疎水性液体との界面における界面張力を低下させる機能を有する界面活性剤ならびにエマルジョンに添加しても界面張力を低下させる作用を有しないもののうち、塩、水素結合性分子、およびアルコール類のいずれか一種類から選択される添加剤を含まない。
【００６７】
本発明に係るエマルジョンの調製は、限定されないが、本発明に係る液体混合装置１０を用いる。本発明に係る流体混合装置を用いて、水とオレイン酸1.0体積％のエマルジョンを調製した。タンク１に水を990 mL投入し、オレイン酸10 mLを投入した。その後、ポンプモーター4,000 rpmで10分間液体を循環させた。
【００６８】
比較例２：エア導入なしのエマルジョン調製
比較のため、エア導入なしで、液体を循環させた。１０分後、液体抽出口１６８を開放して、エマルジョンを取り出した。
取り出してから２日後および１ヵ月後に、マイクロスコープ（KEYENCE社製 VHX-6000）を用いて、得られた溶液を観察したところ（図５−Ａ１，Ａ２）、非常に不均質なエマルジョンしか得られないことが確認された。なお、マイクロスコープでは気泡は観察されなかった。
目視観察によれば、取り出し直後、全体が均一に乳濁したエマルジョン溶液であった（図６−Ａ１）。このエマルジョンを試薬ビンに入れて密封し、室温（約２５℃）にて３日間静置したところ、白濁相と透明相（真の意味で透明ではないが、白濁相に対して、濁度が極端に低い相を意味する。）の分離が観察され（図６−Ａ２）、さらに２か月間静置後には水とオレイン酸との完全相分離が観察され（図６−Ａ３）、非常に不安定なエマルジョンであることが分かった。
【００６９】
実施例２：エア導入ありのエマルジョン調製
本発明に従い、ファインバブル供給部１３０にてポンプ下流から100 cc/分にてエア導入しながら液体を循環させた。１０分後、液体抽出口１６８を開放して、エマルジョンを取り出した。
取り出してから２日後および１ヵ月後に、マイクロスコープ（KEYENCE社製 VHX-6000）を用いて、得られた溶液を観察したところ（図５−Ｂ１，Ｂ２）、オレイン酸がミクロンオーダーで均質に水に微分散されたエマルジョンが得られたことが確認された。画像解析により、エマルジョンの平均径は0.73 μmであった。なお、マイクロスコープでは気泡は観察されなかった。
目視観察によれば、取り出し直後、全体が均一に乳濁したエマルジョン溶液であった（図６−Ｂ１）。このエマルジョンを試薬ビンに入れて密封し、室温（約２５℃）にて３日間静置したが、白濁相と透明相との分離は観察されず（図６−Ｂ２）、さらに２か月間静置後も、上記の分離も水とオレイン酸との相分離も観察されず（図６−Ｂ３）、非常に安定なエマルジョンであることが分かった。
【産業上の利用可能性】
【００７０】
本発明に係る流体混合装置は複雑な機構を持たないため小型軽量化することが可能であり、いかなる添加剤も使用することなく、必要な水性液体および疎水性液体のみからなる安定なエマルジョンを簡便かつ迅速に調製することができる。すなわち、多品種少量のエマルジョンを作成することができるので、研究開発に適している。製品開発においても、消費者の要望に即座に応えて、その場で提供することができるので、例えば、化粧品に保存料などが不要となるため、化学物質に過敏な消費者に対して最良の製品を提供することができる。さらには、消費者が自ら希望の成分のみを含む化粧品などを作成することもできる。
また、地球の温暖化や家屋の気密化にともなって、衛生害虫対策への需要が増している。従来、有力な手法であった化学薬剤を用いる害虫駆除は人にとっても有害なため、近年、その使用料は減少しており、人に優しい製品開発が求められているからである。本発明の技術を用いれば、小型装置を現場に持ち込み、その場で、天然有効成分と水のみからなる防虫作用を有するエマルジョンを作成して防除作業を行うことができる。例えば、マラリアの流行地域において、現地の人々が現場で調製したエマルジョン防虫剤を蚊帳に塗布して使用すれば、病気の撲滅を促進することが期待される。
【符号の説明】
【００７１】
１０：液体混合装置
１００：混合ユニット
１１０：容器ブロック
１１１：混合室
１１２：中心軸
１１３：蓋
１１４：圧力調整弁
１１５：円形穴
１１６：傾斜底面
１１７：排出口（出口）
１２０：ベースブロック
１２１：円形穴
１２２：縦穴
１２３：流路
１２４：気体供給孔
１３０：ファインバブル供給部
１３１：ベンチュリブロック
１３２：流路
１３３：下断流路部分
１３４：中段流路部分
１３５：上段流路部分
１３６：吸気孔
１３７：マニホールド
１４０：ノズルブロック
１４１：流路
１４２：下段流路部分
１４３：中段流路部分
１４４：上段流路部分
１４５：溝（螺旋流形成部）
１４６：上端噴射口（入口）
１５０：流路ブロック
１５１：流路
１５２：液体供給流路
１５３：垂直流路部分
１５４：水平流路部分
１５５：液体回収流路
１５６：上段垂直流路部分
１５７：下段垂直流路部分
１５８：水平流路部分
１６０：ポンプユニット
１６１：ポンプ
１６２：ポンプケーシング
１６３：吸入口
１６４：吐出口
１６５：ポンプ流路
１６６：駆動部
１６７：モータ
１６８：抽出口
１７０：液体移送ユニット
１７１：液体供給管
１７２：液体回収管
１８０：気体吸入ユニット
１８１：気体供給管
１８２：気体吸込口
１８３：流量調整弁
１８４：流量センサ
１８５：逆止弁
１９０：混合液
１９１：液体供給路
１９２：液体回収路
１９３：噴射領域
【図１】
2019214012.tif 000005
【図２】
2019214012.tif 000006
【図３】
2019214012.tif 000007
【図４】
2019214012.tif 000008
【図５】
2019214012.tif 000009
【図６】
2019214012.tif 000010
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
入口（１４６）と出口（１１７）を備えた混合室（１１１）と、
供給路（１９１）であって、前記供給路（１９１）は一端と他端を有し、前記供給路（１９１）の前記一端が前記入口（１４６）に接続された供給路（１９１）と、
回収路（１９２）であって、前記回収路（１９２）は一端と他端を有し、前記回収路（１９２）の前記一端が前記出口（１１７）に接続された回収路（１９２）と、
吸入口（１６３）と吐出口（１６４）を有し、前記吸入口（１６３）に前記回収路（１９２）の他端が接続され、前記吐出口（１６４）に前記供給路（１９１）の他端が接続されたポンプ（１６１）とを備え、
前記ポンプ（１６１）の駆動に基づいて、前記混合室（１１１）に貯蔵されている２つの液体の混合液（１９０）を前記出口（１１７）から吸引し、前記回収路（１９２）、前記ポンプ（１６１）、及び前記供給路（１９１）を介して、前記入口（１４６）から前記混合室（１１１）に噴射する液体混合装置（１０）であって、
前記液体混合装置（１０）は、前記供給路（１９１）を流れる前記混合液（１９０）にファインバブルを供給するファインバブル供給部（１３０）を備えており、
前記混合室（１１１）の入口（１４６）から前記混合室（１１１）に噴射される前記混合液（１９０）の噴射領域（１９３）の外側に前記混合室（１１１）の出口（１１７）が配置されており、
前記ファインバブル供給路（１３０）は、前記入口（１４６）に向かって流れる混合液（１９０）に、前記入口（１４６）の中心軸（１１２）を中心とする螺旋運動を与える螺旋流形成部を備えており、
前記螺旋流形成部は、
（ａ）前記入口（１４６）に向かって次第に内径が小さくなる円錐台形状の流路の内面に螺旋溝を形成した螺旋流形成部、
（ｂ）所定の歯数と所定のピッチ円錐角を有するはすば傘歯車又はまがりば傘歯車からなる内歯形傘歯車と前記内歯型傘歯車と同じ歯数と同じピッチ円錐角を有する外歯形傘歯車を、前記内歯形傘歯車の上に前記外歯形傘歯車を載せるとともに前記内歯形傘歯車の歯と前記外歯形傘歯車の歯をかみ合わせて前記内歯型傘歯車の歯と前記外歯形傘歯車の歯の間に螺旋状の隙間を形成した螺旋流形成部、または
（ｃ）螺旋ノズル（３４０）からなる螺旋流形成部のいずれかであることを特徴とする液体混合装置。
【請求項２】
前記ファインバブル供給部（１３０）は前記供給路（１９１）に設けられていることを特徴とする請求項１に記載の液体混合装置。
【請求項３】
前記供給路（１９１）は前記供給路（１９１）の前記他端から前記供給路（１９１）の前記一端に向かって水平であるか、または０度を超える上り勾配を有し、前記回収路（１９２）は前記回収路（１９２）の前記他端から前記回収路（１９２）の前記一端に向かって水平であるか、または、０度を超える上り勾配を有することを特徴とする請求項１又は２に記載の液体混合装置。
【請求項４】
前記ポンプ（１６１）は、
吸入口（１６３）と、吐出口（１６４）と、前記吸入口（１６３）と前記吐出口（１６４）を接続するポンプ流路（１６５）と備えたケーシング（１６２）と、
前記ポンプ流路（１６５）に配置され、前記吸入口（１６３）から前記吐出口（１６４）に向けて混合液を移送する駆動部（１６６）と、
前記ポンプ流路（１６５）の混合液を抽出する抽出口（１６８）と
を備えており、
前記抽出口（１６８）は前記ポンプ流路（１６５）の最下位置に設けられていることを特徴とする請求項３に記載の液体混合装置。
【請求項５】
少なくとも、入口と出口を備えた混合室と、吸入口と吐出口を有するポンプとを備え、前記出口と前記吸入口とが流体的に接続され、前記吐出口と前記入口とが流体的に接続され、前記ポンプの駆動に基づいて、前記混合室に貯蔵されている混合液体を前記出口から吸引し、前記ポンプを介して、前記吐出口から吐出し、前記吐出される混合液体にファインバブルを供給した後、ファインバブルが供給された混合液体を前記混合室に噴射して、螺旋噴射流を形成し、前記混合室に噴射される混合液の噴射領域の外側に前記出口が配置されていることを特徴とする液体混合装置を用いてエマルジョンを調製する方法であって、
前記混合液体は、水性液体および前記水性液体と非相溶性の疎水性液体を含み、かつ、水性液体と疎水性液体との界面における界面張力を低下させる機能を有する界面活性剤を含まない、エマルジョンの調製方法。
【請求項６】
さらに、添加剤として、ナトリウム、マグネシウム、リン、塩素、カリウム、カルシウム、クロム、マンガン、鉄、コバルト、銅、亜鉛、セレン、モリブデン、ヨウ素などからなる群から選択される１または複数の必須ミネラル；活性炭、シリカゲル、ゼオライト、二酸化ケイ素（メソポーラスシリカ）、酸化アルミニウムなどからなる群から選択される１または複数の多孔質材料を含む、請求項５に記載のエマルジョンの調製方法。
【請求項７】
請求項１〜４いずれかに記載の液体混合装置を用いる、請求項５又は６に記載のエマルジョンの調製方法。
【手続補正２】
【補正対象書類名】明細書
【補正対象項目名】００５６
【補正方法】変更
【補正の内容】
【００５６】
例えば、上述の実施形態では、ノズルブロック１４０に円錐台形状の流路を形成するとともにその流路内面に螺旋溝を形成することによって混合液の螺旋流を形成したが、他の構造によって螺旋流を形成することができる。例えば、図３（Ｂ）に示すノズルブロック２４０は、所定のピッチ円錐角と歯数を有する内歯形のはすば傘歯車（ヘリカルベベルギヤ）２４１又はまがりば傘歯車（スパイラルベベルギヤ）と、これらの傘歯車と同じ歯数とピッチ円錐角を有する外歯形のはすば傘歯車（ヘリカルベベルギヤ）２４２又はまがりば傘歯車（スパイラルベベルギヤ）をかみ合わせて構成されており、これら２つの歯車の歯の隙間から混合液を噴射させて螺旋流を形成するものである。また、図３（Ｃ）は、ノズルブロックを螺旋ノズル３４０で構成した例である。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
入口（１４６）と出口（１１７）を備えた混合室（１１１）と、
供給路（１９１）であって、前記供給路（１９１）は一端と他端を有し、前記供給路（１９１）の前記一端が前記入口（１４６）に接続された供給路（１９１）と、
回収路（１９２）であって、前記回収路（１９２）は一端と他端を有し、前記回収路（１９２）の前記一端が前記出口（１１７）に接続された回収路（１９２）と、
吸入口（１６３）と吐出口（１６４）を有し、前記吸入口（１６３）に前記回収路（１９２）の他端が接続され、前記吐出口（１６４）に前記供給路（１９１）の他端が接続されたポンプ（１６１）とを備え、
前記ポンプ（１６１）の駆動に基づいて、前記混合室（１１１）に貯蔵されている２つの液体の混合液（１９０）を前記出口（１１７）から吸引し、前記回収路（１９２）、前記ポンプ（１６１）、及び前記供給路（１９１）を介して、前記入口（１４６）から前記混合室（１１１）に噴射する液体混合装置（１０）であって、
前記液体混合装置（１０）は、前記供給路（１９１）を流れる前記混合液（１９０）にファインバブルを供給する、ベンチュリブロック（１３１）を備えるファインバブル供給部（１３０）を備えており、
前記液体混合装置（１０）は、さらに、気体吸入管（１８１）を有する気体吸入ユニットを備えており、前記気体吸入管（１８１）は、一端が前記ベンチュリブロック（１３１）の気体供給孔（１２４）に接続されており、他端の気体吸込口（１８２）が大気に開放され、または、気体ボンベに接続されており、
前記混合室（１１１）の入口（１４６）から前記混合室（１１１）に噴射される前記混合液（１９０）の噴射領域（１９３）の外側に前記混合室（１１１）の出口（１１７）が配置されており、
前記ファインバブル供給路（１３０）は、前記入口（１４６）に向かって流れる混合液（１９０）に、前記入口（１４６）の中心軸（１１２）を中心とする螺旋運動を与える螺旋流形成部を備えており、
前記螺旋流形成部は、
（ａ）前記入口（１４６）に向かって次第に内径が小さくなる円錐台形状の流路の内面に螺旋溝を形成した螺旋流形成部、
（ｂ）所定の歯数と所定のピッチ円錐角を有するはすば傘歯車又はまがりば傘歯車からなる内歯形傘歯車と前記内歯型傘歯車と同じ歯数と同じピッチ円錐角を有する外歯形傘歯車を、前記内歯形傘歯車の上に前記外歯形傘歯車を載せるとともに前記内歯形傘歯車の歯と前記外歯形傘歯車の歯をかみ合わせて前記内歯型傘歯車の歯と前記外歯形傘歯車の歯の間に螺旋状の隙間を形成した螺旋流形成部、または
（ｃ）螺旋ノズル（３４０）からなる螺旋流形成部のいずれかであることを特徴とする液体混合装置。
【請求項２】
前記螺旋流形成部は、
（ｂ）所定の歯数と所定のピッチ円錐角を有するはすば傘歯車又はまがりば傘歯車からなる内歯形傘歯車と前記内歯型傘歯車と同じ歯数と同じピッチ円錐角を有する外歯形傘歯車を、前記内歯形傘歯車の上に前記外歯形傘歯車を載せるとともに前記内歯形傘歯車の歯と前記外歯形傘歯車の歯をかみ合わせて前記内歯型傘歯車の歯と前記外歯形傘歯車の歯の間に螺旋状の隙間を形成した螺旋流形成部、または
（ｃ）螺旋ノズル（３４０）からなる螺旋流形成部のいずれかであることを特徴とする、請求項１に記載の液体混合装置。
【請求項３】
前記ファインバブル供給部（１３０）は前記供給路（１９１）に設けられていることを特徴とする請求項１又は２に記載の液体混合装置。
【請求項４】
前記供給路（１９１）は前記供給路（１９１）の前記他端から前記供給路（１９１）の前記一端に向かって水平であるか、または０度を超える上り勾配を有し、前記回収路（１９２）は前記回収路（１９２）の前記他端から前記回収路（１９２）の前記一端に向かって水平であるか、または、０度を超える上り勾配を有することを特徴とする請求項１〜３いずれかに記載の液体混合装置。
【請求項５】
前記ポンプ（１６１）は、
吸入口（１６３）と、吐出口（１６４）と、前記吸入口（１６３）と前記吐出口（１６４）を接続するポンプ流路（１６５）と備えたケーシング（１６２）と、
前記ポンプ流路（１６５）に配置され、前記吸入口（１６３）から前記吐出口（１６４）に向けて混合液を移送する駆動部（１６６）と、
前記ポンプ流路（１６５）の混合液を抽出する抽出口（１６８）と
を備えており、
前記抽出口（１６８）は前記ポンプ流路（１６５）の最下位置に設けられていることを特徴とする請求項４に記載の液体混合装置。
【請求項６】
少なくとも、入口と出口を備えた混合室と、吸入口と吐出口を有するポンプと、ファインバブル供給部と、気体供給管とを備え、前記出口と前記吸入口とが流体的に接続され、前記吐出口と前記入口とが流体的に接続され、前記ポンプの駆動に基づいて、前記混合室に貯蔵されている混合液体を前記出口から吸引し、前記ポンプを介して、前記吐出口から吐出し、前記ファインバブル供給部はベンチュリブロックを備え、前記気体吸入管は、一端が前記ベンチュリブロックの気体供給孔に接続されており、他端の気体吸込口）が大気に開放され、または、気体ボンベに接続されており、前記気体吸入管を通じて前記気体供給孔から吸入された気体が、前記吐出された混合液体に混合されることによってファインバブルを供給した後、ファインバブルが供給された混合液体を前記混合室に噴射して、螺旋噴射流を形成し、前記混合室に噴射される混合液の噴射領域の外側に前記出口が配置されていることを特徴とする液体混合装置を用いてエマルジョンを調製する方法であって、
前記混合液体は、水性液体および前記水性液体と非相溶性の疎水性液体からなる、エマルジョンの調製方法。
【請求項７】
請求項１〜５いずれかに記載の液体混合装置を用いる、請求項６に記載のエマルジョンの調製方法。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
入口（１４６）と出口（１１７）を備えた混合室（１１１）と、
供給路（１９１）であって、前記供給路（１９１）は一端と他端を有し、前記供給路（１９１）の前記一端が前記入口（１４６）に接続された供給路（１９１）と、
回収路（１９２）であって、前記回収路（１９２）は一端と他端を有し、前記回収路（１９２）の前記一端が前記出口（１１７）に接続された回収路（１９２）と、
吸入口（１６３）と吐出口（１６４）を有し、前記吸入口（１６３）に前記回収路（１９２）の他端が接続され、前記吐出口（１６４）に前記供給路（１９１）の他端が接続されたポンプ（１６１）とを備え、
前記ポンプ（１６１）の駆動に基づいて、前記混合室（１１１）に貯蔵されている２つの液体の混合液（１９０）を前記出口（１１７）から吸引し、前記回収路（１９２）、前記ポンプ（１６１）、及び前記供給路（１９１）を介して、前記入口（１４６）から前記混合室（１１１）に噴射する液体混合装置（１０）であって、
前記液体混合装置（１０）は、前記供給路（１９１）を流れる前記混合液（１９０）にファインバブルを供給する、ベンチュリブロック（１３１）を備えるファインバブル供給部（１３０）を備えており、
前記液体混合装置（１０）は、さらに、気体吸入管（１８１）を有する気体吸入ユニットを備えており、前記気体吸入管（１８１）は、一端が前記ベンチュリブロック（１３１）の気体供給孔（１２４）に接続されており、他端の気体吸込口（１８２）が大気に開放され、または、気体ボンベに接続されており、
前記混合室（１１１）の入口（１４６）から前記混合室（１１１）に噴射される前記混合液（１９０）の噴射領域（１９３）の外側に前記混合室（１１１）の出口（１１７）が配置されており、
前記ファインバブル供給路（１３０）は、前記入口（１４６）に向かって流れる混合液（１９０）に、前記入口（１４６）の中心軸（１１２）を中心とする螺旋運動を与える螺旋流形成部を備えており、
前記螺旋流形成部は、
（ａ）前記入口（１４６）に向かって次第に内径が小さくなる円錐台形状の流路の内面に螺旋溝を形成した螺旋流形成部、
（ｂ）所定の歯数と所定のピッチ円錐角を有するはすば傘歯車又はまがりば傘歯車からなる内歯形傘歯車と前記内歯型傘歯車と同じ歯数と同じピッチ円錐角を有する外歯形傘歯車を、前記内歯形傘歯車の上に前記外歯形傘歯車を載せるとともに前記内歯形傘歯車の歯と前記外歯形傘歯車の歯をかみ合わせて前記内歯型傘歯車の歯と前記外歯形傘歯車の歯の間に螺旋状の隙間を形成した螺旋流形成部、または
（ｃ）螺旋ノズル（３４０）からなる螺旋流形成部のいずれかであることを特徴とする液体混合装置。
【請求項２】
前記螺旋流形成部は、
（ｂ）所定の歯数と所定のピッチ円錐角を有するはすば傘歯車又はまがりば傘歯車からなる内歯形傘歯車と前記内歯型傘歯車と同じ歯数と同じピッチ円錐角を有する外歯形傘歯車を、前記内歯形傘歯車の上に前記外歯形傘歯車を載せるとともに前記内歯形傘歯車の歯と前記外歯形傘歯車の歯をかみ合わせて前記内歯型傘歯車の歯と前記外歯形傘歯車の歯の間に螺旋状の隙間を形成した螺旋流形成部、または
（ｃ）螺旋ノズル（３４０）からなる螺旋流形成部のいずれかであることを特徴とする、請求項１に記載の液体混合装置。
【請求項３】
前記ファインバブル供給部（１３０）は前記供給路（１９１）に設けられていることを特徴とする請求項１又は２に記載の液体混合装置。
【請求項４】
前記供給路（１９１）は、液体供給流路（１５２）と、一端と他端を有する液体供給管（１７１）とを含み、前記液体供給管（１７１）は、前記吐出口（１６４）に接続された他端から液体供給流路（１５２）に接続された一端に向かって水平であるか、または０度を超える上り勾配を有し、前記回収路（１９２）は、液体回収流路（１５５）と、一端と他端を有する液体回収管（１７２）とを含み、前記液体回収管（１７２）は、前記吸入口（１６３）に接続された他端から液体回収流路（１５５）に接続された一端に向かって水平であるか、または０度を超える上り勾配を有することを特徴とする請求項１〜３いずれかに記載の液体混合装置。
【請求項５】
前記ポンプ（１６１）は、
吸入口（１６３）と、吐出口（１６４）と、前記吸入口（１６３）と前記吐出口（１６４）を接続するポンプ流路（１６５）と備えたケーシング（１６２）と、
前記ポンプ流路（１６５）に配置され、前記吸入口（１６３）から前記吐出口（１６４）に向けて混合液を移送する駆動部（１６６）と、
前記ポンプ流路（１６５）の混合液を抽出する抽出口（１６８）と
を備えており、
前記抽出口（１６８）は前記ポンプ流路（１６５）の最下位置に設けられていることを特徴とする請求項４に記載の液体混合装置。
【請求項６】
少なくとも、入口と出口を備えた混合室と、吸入口と吐出口を有するポンプと、ファインバブル供給部と、気体吸入管とを備え、前記出口と前記吸入口とが流体的に接続され、前記吐出口と前記入口とが流体的に接続され、前記ポンプの駆動に基づいて、前記混合室に貯蔵されている混合液体を前記出口から吸引し、前記ポンプを介して、前記吐出口から吐出し、前記ファインバブル供給部はベンチュリブロックを備え、前記気体吸入管は、一端が前記ベンチュリブロックの気体供給孔に接続されており、他端の気体吸込口が大気に開放され、または、気体ボンベに接続されており、前記気体吸入管を通じて前記気体供給孔から吸入された気体が、前記吐出された混合液体に混合されることによってファインバブルを供給した後、ファインバブルが供給された混合液体を前記混合室に噴射して、螺旋噴射流を形成し、前記混合室に噴射される混合液の噴射領域の外側に前記出口が配置されていることを特徴とする液体混合装置を用いてエマルジョンを調製する方法であって、
前記混合液体は、水性液体および前記水性液体と非相溶性の疎水性液体からなる、エマルジョンの調製方法。
【請求項７】
請求項１〜５いずれかに記載の液体混合装置を用いる、請求項６に記載のエマルジョンの調製方法。
【手続補正２】
【補正対象書類名】明細書
【補正対象項目名】００４６
【補正方法】変更
【補正の内容】
【００４６】
ポンプ吐出口１６４から吐出した混合液は、ポンプ吐出口１６４から、液体供給管１７１と液体供給流路１５２を通り、ベンチュリブロック１３１の流路１３２に送られる。ベンチュリブロック１３１に達した混合液１９０は、大きな断面の下段流路部分１３３から小さな断面の中段流路部分１３４を通り大きな断面の上段流路部分１３５に入る。このとき、中段流路部分１３４を通る混合液の流速が増加することによって、該中段流路部分１３４に開口した吸気孔１３６に負圧が発生する。その結果、気体吸入管１８１を通じて吸引された気体が吸気孔１３６から中段流路部分１３４を流れる混合液１９０に混合される。
【手続補正３】
【補正対象書類名】明細書
【補正対象項目名】００４７
【補正方法】変更
【補正の内容】
【００４７】
気体吸入管１８１から吸引される気体の量は、流量センサ１８４の出力を見ながら、流量調整１８３で調整できる
【手続補正４】
【補正対象書類名】明細書
【補正対象項目名】００７１
【補正方法】変更
【補正の内容】
【００７１】
１０：液体混合装置
１００：混合ユニット
１１０：容器ブロック
１１１：混合室
１１２：中心軸
１１３：蓋
１１４：圧力調整弁
１１５：円形穴
１１６：傾斜底面
１１７：排出口（出口）
１２０：ベースブロック
１２１：円形穴
１２２：縦穴
１２３：流路
１２４：気体供給孔
１３０：ファインバブル供給部
１３１：ベンチュリブロック
１３２：流路
１３３：下断流路部分
１３４：中段流路部分
１３５：上段流路部分
１３６：吸気孔
１３７：マニホールド
１４０：ノズルブロック
１４１：流路
１４２：下段流路部分
１４３：中段流路部分
１４４：上段流路部分
１４５：溝（螺旋流形成部）
１４６：上端噴射口（入口）
１５０：流路ブロック
１５１：流路
１５２：液体供給流路
１５３：垂直流路部分
１５４：水平流路部分
１５５：液体回収流路
１５６：上段垂直流路部分
１５７：下段垂直流路部分
１５８：水平流路部分
１６０：ポンプユニット
１６１：ポンプ
１６２：ポンプケーシング
１６３：吸入口
１６４：吐出口
１６５：ポンプ流路
１６６：駆動部
１６７：モータ
１６８：抽出口
１７０：液体移送ユニット
１７１：液体供給管
１７２：液体回収管
１８０：気体吸入ユニット
１８１：気体吸入管
１８２：気体吸込口
１８３：流量調整弁
１８４：流量センサ
１８５：逆止弁
１９０：混合液
１９１：液体供給路
１９２：液体回収路
１９３：噴射領域